(57)【要約】【課題】タッチパネルの良さを生かしつつ検査で重要な表示部分が見難くなるのを防止する非破壊検査装置を提供する。【解決手段】表示器３とタッチパネル１１とを備えた非破壊検査装置であって、  タッチパネル１１は、表示器３に表示される表示画面の仮想操作部エリア１９上に設けられ、この表示画面の、仮想操作部エリア１９以外のエリア上には設けられないよう構成される。【選択図】図５
2006153811.tif 000002
【特許請求の範囲】
【請求項１】
表示器とタッチパネルとを備えた非破壊検査装置であって、
前記タッチパネルは、前記表示器に表示される表示画面の仮想操作部エリア上に設けられ、前記表示画面の、前記仮想操作部エリア以外のエリア上には設けられない、
ことを特徴とする非破壊検査装置。
【請求項２】
前記表示画面上において、前記タッチパネルが設けられている部分と設けられていない部分との境界に、少なくとも樹脂或いは金属で作られた境界枠が取り付けられる、
ことを特徴とする請求項１記載の非破壊検査装置。
【請求項３】
前記表示器は、設定値が上限値或いは下限値に達したときに、その旨を通知するための表示を行う、
ことを特徴とする請求項１又は２記載の非破壊検査装置。
【発明の詳細な説明】
【技術分野】
【０００１】
本発明は、非破壊検査装置に関し、特に被検体の傷を同一条件で連続して検査できる非破壊検査装置に関する。
【背景技術】
【０００２】
従来、被検体の傷を検査する装置として非破壊検査装置が知られている。この非破壊検査装置には、超音波探傷器や渦流探傷器など、傷の検出方法によって多種多様なものがある。
【０００３】
例えば、検査波形やメニュー等を表示する表示器の周りに動作を設定するための各種スイッチを配置した非破壊検査装置がある（特許文献１参照）。また、表示器の上に操作のためのタッチパネルを設けた超音波画像診断装置もある。その他にも、各種設定値をメニュー表示と併せて表示する非破壊検査装置もある。但し、その各種設定値の上限と下限を明示して表示するものはない。
【特許文献１】特開平１１−１４８９２３号公報
【発明の開示】
【発明が解決しようとする課題】
【０００４】
ところで、特許文献１の装置では、表示器上に表示されたメニューに対応したスイッチを押下することで動作を設定するが、メニューとスイッチの位置とが離れているために操作しづらいということがあった。また、表示器の周りに多数のスイッチが設けられているので、その分、装置のサイズが大きくなってしまった。
【０００５】
また、特許文献１の装置のような非破壊検査装置では、スイッチに文字が記載されている場合が多く、その場合、記載可能なスペースに限りがあるため、スイッチに記載される文字として短縮名称や番号が用いられることが多い。しかしながら、短縮名称や番号では分かりにくいので、文字表示ではなくアイコン表示が好まれることがある。また、この装置が多国語表示対応の場合、スイッチの表示も多言語対応しなければならない場合がある。このように、操作者の好みによってスイッチに表示する文字やアイコンを変更する場合は、各タイプのスイッチ部品を準備する必要があり、手間とコストがかかっていた。
【０００６】
これに対し、上記超音波画像診断装置では、表示器上に表示されているメニューをタッチパネルを介して直接指で触れて操作するので、特許文献１の装置のようにメニュー表示とスイッチとの対応を考えながら操作する装置よりも操作性が良い。また、タッチパネルを設けることで、スイッチの数が少なくなったり、或いは不要になったりするので、その分、装置を小型化できる。さらに、メニュー表示においては、ソフトウェア側で切替可能であるので、アイコン表示用や各言語用のスイッチ部品を準備する必要がなく、これに対する手間とコストを削減できる。しかしながら、タッチパネルを設けると、タッチパネル自体の透過率の影響で表示器に表示されている数値や波形などが見難くなり、また、実際の検査現場等では汚れた手等でタッチパネルが操作されることもあり、この場合には、その汚れでタッチパネルの透過率が更に減少し、表示器に表示されている数値や波形などが更に見難くなって、特に検査波形や表示されている数値に集中しながら検査している状況においては、これが大きな問題となり、場合によっては傷の見落としにつながる虞もあった。
【０００７】
また、上述の、各種設定値をメニュー表示と併せて表示する非破壊検査装置においては、各種設定値の上限と下限を明示して表示したものはなかったので、各種設定値の上限と下限が不明確であり設定限界を把握し難かった。
【０００８】
本発明は、上記実情に鑑み、タッチパネルの良さを生かしつつ検査で重要な表示部分が見難くなるのを防止する非破壊検査装置を提供すると共に、その装置において各種設定値の設定限界を容易に把握することのできる非破壊検査装置を提供することを目的とする。
【課題を解決するための手段】
【０００９】
上記目的を達成するため、本発明の第１の態様に係る非破壊検査装置は、表示器とタッチパネルとを備えた非破壊検査装置であって、前記タッチパネルは、前記表示器に表示される表示画面の仮想操作部エリア上に設けられ、前記表示画面の、前記仮想操作部エリア以外のエリア上には設けられない、構成である。
【００１０】
本発明の第２の態様に係る非破壊検査装置は、上記第１の態様において、前記表示画面上において、前記タッチパネルが設けられている部分と設けられていない部分との境界に、少なくとも樹脂或いは金属で作られた境界枠が取り付けられる、構成である。
【００１１】
本発明の第３の態様に係る非破壊検査装置は、上記第１又は２の態様において、前記表示器は、設定値が上限値或いは下限値に達したときに、その旨を通知するための表示を行う、構成である。
【発明の効果】
【００１２】
本発明によれば、制御内容に応じた設定等をタッチパネルにより行うことで、操作性の向上，コスト削減，及び装置小型化を可能にすると共に、検査で重要な表示部分にはタッチパネルを設けないようにしたのでその表示部分が見難くなることはなく、また、設けられた境界枠により検査で重要な表示部分の汚れを防止することが可能なので、タッチパネルが検査に支障を及ぼさないという効果を得ることができる。
【００１３】
また、設定値が上限或いは下限に達したときにその旨を通知するための表示を行うことで、操作者は設定可能範囲を知ることができ、操作性の向上及び誤操作防止につながる効果を得ることができる。
【発明を実施するための最良の形態】
【００１４】
以下、本発明の実施の形態を図面を参照しながら説明する。
【実施例１】
【００１５】
図１は、本発明の実施例１に係る非破壊検査装置の一種である超音波探傷器の外観図である。
同図に示したように、この超音波探傷器は、超音波を被検体１の局所に送信しその反射波を受信する探触子２と、探触子２で受信した信号を処理して表示器３に表示させる本体装置４によって構成されている。
【００１６】
図２は、本体装置４の正面図であり、本体装置４の表示器３がある操作面を拡大した図でもある。
同図に示したように、操作面中央には表示器３が設けられ、また、その周辺にはダイレクトキー５（５ａ，５ｂ，５ｃ，５ｄ，５ｅ，５ｆ）や電源キー６等も設けられている。
【００１７】
図３は、上記超音波探傷器の主要構成を示すブロック図である。
同図に示したように、超音波探傷器は、主要構成として、各処理やメニュー表示等を制御するための各種制御プログラムを記憶したメモリ７と、その各種制御プログラムを読み出し実行することによって各処理やメニュー表示等を制御するＣＰＵ８と、操作者から各種の指示や入力を受け付ける入力キー９と、検査波形やメニュー等を表示する表示器３と、その表示器３を制御する表示制御部１０と、表示器３上の一部に設けられた透明なタッチパネル１１と、そのタッチパネル１１を制御するタッチパネル制御部１２と、被検体１に超音波を送信しその反射波を受信する探傷子２と、その探傷子２から傷信号を得るための送受信信号処理を行う信号処理制御部１３と、を備えている。
【００１８】
尚、メモリ７、ＣＰＵ８、入力キー９、表示制御部１０、タッチパネル制御部１２、及び信号処理制御部１３は、それぞれバス１４を介して接続され、相互にデータの送受を行うことが可能になっている。
【００１９】
このような構成により、例えば、表示器３で検査波形やメニュー等を表示する際には、探傷子２から得られた傷信号に基づいて信号処理制御部１３で取得された検査波形やＣＰＵ８から送信されたメニュー等の画像データが表示制御部１０で合成され、該合成データが表示器３で表示される。
【００２０】
また、当該超音波探傷器の各種機能の実行は、タッチパネル１１や入力キー９の操作により可能になっている。入力キー９は、上述のダイレクトキー５や電源キー６、あるいは不図示のダイヤル等を含んでいる。各ダイレクトキー５には、一意的に所定の機能が割り当てられており、操作者が所望の機能の実行を直接操作できるようになっている。ダイレクトキー５に割り当てられる機能としては、例えば、検査データの保存、検査波形の画面拡大、検査波形の一時停止等がある。電源キー６は、電源をＯＮ或いはＯＦＦするためのものである。ダイヤルは、選択されたメニュー項目に対する設定値を変更等するためのもの、或いは、ダイレクトキー５のように所定の機能が一意的に割り当てられている。
【００２１】
尚、本実施例では、基本的にタッチパネル１１によるメニュー操作によって動作を設定するものであるが、ダイレクトキー５やダイヤル等を併用してそれを行うことも可能である。
【００２２】
図４は、上記超音波探傷器の構成を更に詳細に示す図である。
同図において、探触子２は、被検体１に超音波を送信及び受信するものであり、超音波を発生させて、その反射エコーを受信するための振動子が内蔵されている。
【００２３】
信号処理制御部１３は、送受信回路１３ａ、Ａ／Ｄ変換回路１３ｂ、ディジタル信号処理回路１３ｃを備えている。送受信回路１３ａは、不図示の送信パルサ回路，増幅器，及び検波回路等を有しており、探触子２に対して駆動パルスを与えることで超音波を発生させると共に、受信した反射エコー信号を処理する。Ａ／Ｄ変換回路１３ｂは、送受信回路１３ａから出力される反射エコーのアナログ信号を順次サンプリングしながらディジタル信号に変換し、ディジタル信号処理回路１３ｃに出力する。ディジタル信号処理回路１３ｃは、ＣＰＵ８からの制御信号に従ってフィルター処理やリジェクション処理等を行ったり、受信信号を検査波形に加工したりする。
【００２４】
表示制御部１０は、ディジタル信号処理回路１３ｃやＣＰＵ８からの画像データを合成して表示器３に表示させるための描画処理を行い、表示する画像データを表示器３に送る。表示器３は、例えばＣＲＴ（ Cathode Ray Tube ）やＬＣＤ（ Liquid Crystal Display ）モニター等であり、反射エコーの波形やメニュー等を表示する。
【００２５】
表示器３上には、タッチパネル制御部１２により制御される、透明なタッチパネル１１が設けられている。操作者は、タッチパネル１１に触れることでメニュー項目の選択や選択したメニュー項目の設定値変更等が可能になっている。
【００２６】
入力デバイス１５は、上記入力キー９やキーボード等を含み、操作者はこれを用いても、上述のメニュー項目の選択や選択したメニュー項目の設定値変更等ができる。また、検査波形を一時止めるフリーズ機能など、ある特定の機能をボタンに割り付けることでダイレクトキー５として用いることもできる。
【００２７】
タッチパネル１１や入力デバイス１５を介して設定された値は、ＣＰＵ８からバス１４を介して各処理回路に送られ、それぞれの回路が制御される。
ＬＥＤ１６は、ゲートにトリガーが掛けられたときや、警告や注意などを示すときに点灯する。
【００２８】
ＲＯＭ（図３のメモリ）７は、各処理やメニュー表示などの各種制御プログラムが記憶されており、これに従ってＣＰＵ８が動作する。
ＲＡＭ１７は、入力デバイス１５やタッチパネル１１の操作によって設定された各種設定データが記憶される設定データ領域を有しており、これにその各種設定データが記憶されている状態で当該超音波探傷器が動作する。
【００２９】
ＲＡＭ１８は、検査結果データが記憶される。検査結果データの保存は、タッチパネル１１や入力デバイス１５の操作によって保存機能が実行されることにより行われる。尚、ＲＡＭ１８は、ＲＡＭ１７と同じメモリを共用するようにしてもよく、別のメモリとして設けてもよく、大容量化のためにＨＤ（ハードディスク）などを利用してもよい。或いは、ＣＦ（登録商標）メモリカードやＳＤメモリカード（登録商標）などの容易に着脱できるメモリを利用してもよい。
【００３０】
ＲＡＭ１８に保存された各検査結果データには、波形データや設定データ等の情報が含まれ、保存された検査結果データのファイルをメニューから選択することにより、そのファイルに含まれる波形データ（検査波形）を表示させることができるだけでなく、更に本ファイルに含まれる設定データを読み込みＲＡＭ１７の設定データ領域に記憶させることで、その設定データを用いて当該超音波探傷器を動作させることもできる。
【００３１】
図５は、表示器３に表示された表示画面の一例と、その表示画面上において、タッチパネル１１が設けられている部分と設けられていない部分との境界に取り付けられた境界枠を示す図である。
【００３２】
同図において、この表示画面は、動作を設定するためのメニュー表示エリア（仮想操作部エリア）１９と、探触子２から得られた検査波形が表示される波形表示エリア２０と、検査波形に対しゲートを設定して得られた検査結果などを数値で表示するための５つの検査結果表示エリア２１（２１ａ，２１ｂ，２１ｃ，２１ｄ，２１ｅ）からなる。メニュー表示エリア１９には、Ａ〜Ｊで示す１０個の動作に対応するメニュー項目が表示され、操作者が所望のメニュー項目を選択することによって、そのメニュー項目に対応する動作を実行させることが可能になっている。
【００３３】
本実施例では、メニュー表示エリア１９が表示画面の下部に配置されており、透明なタッチパネル１１は、このメニュー表示エリア１９上にのみ設けられ、それ以外の表示エリアである波形表示エリア２０と検査結果表示エリア２１には設けられない。
【００３４】
尚、タッチパネル１１によるメニュー操作の場合には、タッチパネル１１に触れた位置が表示器３上のいずれの座標にあたるかを検出しなければならない。タッチパネルが設けられた従来の装置では、表示器とタッチパネルが同じ大きさであったのでタッチパネル上の座標と表示器上の座標が同じであったが、本実施例では、タッチパネル１１が表示器３の上端からオフセット量Δｄ１だけオフセットされて設けられているので、タッチパネル１１上の座標と表示器３上の座標が異なる。そこで、タッチパネル１１に触れた位置（座標）を検出した後、同図縦方向の座標をオフセット量Δｄ１だけ補正することで、表示器３上の座標に変換するようにしている。タッチパネル１１上の座標を検出する制御はタッチパネル制御部１２で行うが、タッチパネル１１上の座標を表示器３上の座標に変換する処理はタッチパネル制御部１２或いはＣＰＵ８のいずれで行っても良い。いずれかの方法によって求まった表示器３上の座標をＣＰＵ８が取得すると、どのメニュー項目が選択されたかを判断し、その判断結果に応じた動作を行う。
【００３５】
また、表示器３の表示画面上において、タッチパネル１１が設けられている部分と設けられていない部分との境界には、樹脂や金属等で作られた境界枠２２が取り付けられている。但し、同図の例では、本体装置４の正面において、表示画面の部分とそれ以外の部分との境界にも、樹脂や金属等で作られた境界枠（同図の境界枠２２以外の太線部分）が取り付けられている。
【００３６】
尚、本実施例では、表示器３の表示画面上において、タッチパネル１１が設けられている部分と設けられていない部分との境界に境界枠２２を設けたが、次に説明する形状を有した前面パネルを、本体装置４の正面に取り付けることによって、その境界に境界枠を設けるようにしても良い。
【００３７】
図６、図７、図８、及び図９は、その前面パネルの一例を示す図である。
図６の例は、メニュー表示エリア１９に対応する部分２３と、メニュー表示エリア１９以外の表示エリアに対応する部分２４とをくり抜いた形状を有する前面パネル２５である。これにより、表示器３の表示画面上において、タッチパネル１１が設けられている部分と設けられていない部分との境界に境界枠が設けられる。尚、同図の点線２６は、表示器３の画面領域を示している（図７乃至９において同じ）。
【００３８】
図７の例は、メニュー表示エリア１９に表示されるＡ〜Ｊのメニュー項目に対応する部分（同図のＡ´〜Ｊ´）と、メニュー表示エリア１９以外の表示エリアに対応する部分２４とをくり抜いた形状を有する前面パネル２７である。
【００３９】
図８の例は、図６に示した前面パネル２５の一部を省いた形状を有する前面パネル２５´であり、図９の例は、図７に示した前面パネル２７の一部を省いた形状を有する前面パネル２７´である。但し、いずれの前面パネルにおいても、表示器３の表示画面上において、タッチパネル１１が設けられている部分と設けられていない部分との境界に境界枠が設けられるような形状を有していてもよい。
【００４０】
尚、図６乃至９では説明の便宜のため省略したが、各前面パネル２５，２７，２５´，２７´は、実際には、図２に示したダイレクトキー５や電源キー６に対応する部分も更にくり抜かれた形状を有している。
【００４１】
また、当該超音波探傷器では、メニュー表示エリア１９に表示されるメニュー項目から、感度，測定範囲，音速，遅延時間，及び周波数等の設定が可能になっている。
図１０は、メニュー表示エリア１９に表示された５つのメニュー項目の一例を示す図である。
【００４２】
同図の例は、感度（「Ｇａｉｎ」），測定範囲（「Ｒａｎｇｅ」），音速（「Ｖｅｌｏｃｉｔｙ」），遅延時間（「Ｄｅｌａｙ」），周波数（「Ｆｒｅｑｕｅｎｃｙ」）の５つのメニュー項目が表示された例である。各メニュー項目には、例えば「Ｇａｉｎ」，「５０ｄＢ」といった具合に、項目名と現在の設定値が併せて表示される。操作者がメニュー項目の値を設定（変更）する場合には、所望のメニュー項目を選択し不図示のダイヤル等を用いることによって、それが可能になっている。尚、設定値の変更は当該超音波探傷器に含まれる不図示の設定値変更手段によって行われる。そして、設定が終了すると、設定された値が現在の設定値として表示される。
【００４３】
また、この超音波探傷器では、設定値が下限値又は上限値に達した場合には、その旨を操作者に通知するための表示も併せて行われるようになっている。
図１１(a),(b),(c) は、Ｇａｉｎ値を下限値（０ｄＢ）に設定したときに表示される、Ｇａｉｎ値に係るメニュー項目の一例を示す図である。同図(a) は、設定値の下側にラインを設けた例であり、同図(b) は、設定値の左側に下矢印を設けた例であり、同図(c) は、設定値の左側に２つのラジオボタンを上下に設け下側のラジオボタンをＯＮさせた例である。これらにより、設定値が下限値に達したことを操作者に通知することができる。
【００４４】
図１２(a),(b),(c) は、Ｇａｉｎ値を上限値（１００ｄＢ）に設定したときに表示される、Ｇａｉｎ値に係るメニュー項目の一例を示す図である。同図(a) は、設定値の上側にラインを設けた例であり、同図(b) は、設定値の左側に上矢印を設けた例であり、同図(c) は、設定値の左側に２つのラジオボタンを上下に設け上側のラジオボタンをＯＮさせた例である。これらにより、設定値が上限値に達したことを操作者に通知することができる。
【００４５】
但し、設定値が上限値或いは下限値に達していない場合には、これらの表示は行われず、項目名と設定値のみが表示される。
尚、設定値が上限値或いは下限値に達している旨の通知を行うための表示は、図１１(a),(b),(c) 及び図１２(a),(b),(c) に示したものに限らず、例えば文字色を変更するなど、その旨の通知を行うための他の表示を行うようにしてもよい。また、上限と下限を識別する必要がない場合には、上限値と下限値に達したら、例えば共に設定値の下側にラインを表示するなど、同じマークを表示すればよい。
【００４６】
以上、本実施例によれば、タッチパネル１１によって動作を設定することができるので、直接メニューに触れて選択や設定を行うことができ、操作性が良い。また、メニュー表示においては、文字表示だけでなくアイコンで表示したり各言語の文字で表示したりすることはソフトウェアで対応できるので、表示タイプを変更するメニュー等を設けておくことにより、操作者は好みに応じて表示タイプを簡単に変更可能になる。これにより、スイッチが不要或いはその数を削減できるので装置の小型化及びコスト削減が可能になる。更に、タッチパネル１１がメニュー表示エリア１９のみに設けられるので、検査において重要な波形表示や検査結果の数値表示がタッチパネル１１によって見難くなることはなく、非破壊検査の現場で十分に使用可能である。
【００４７】
一般的に非破壊検査装置を扱う場合、例えばそれが超音波探傷器の場合には、探触子と被検体との間にマシン油等を垂らして検査するので手が汚れる場合が多い。このような状況で従来のタッチパネル式の装置を用いてメニュー操作を行うと、手についた油等がメニュー表示エリア上だけでなく検査波形表示エリア上にも侵入して検査波形が見づらくなる虞がある。しかしながら、本実施例に係る超音波探傷器では、表示器３の表示画面上において、タッチパネル１１が設けられている部分と設けられていない部分との境界に境界枠２２を設けることによって、タッチパネル１１に付着した汚れがそれ以外の表示エリアに侵入するのを防止することができるので、検査において重要な検査波形や検査結果の数値表示部分が見づらくなるのを防ぐことができる。
【００４８】
また、設定値が上限値或いは下限値に達したときには、その旨を通知するための表示が行われるので、操作者は設定可能範囲を知ることができ、操作性の向上や誤操作の防止につながる。
【実施例２】
【００４９】
本実施例では、メニュー表示エリアがＬ字型となる非破壊検査装置について説明する。
図１３は、本実施例に係る非破壊検査装置の一種である超音波探傷器の主要構成を示すブロック図である。
【００５０】
同図に示したように、本実施例に係る超音波探傷器は、メニュー表示エリアがＬ字型になることに伴って、更に、表示器３上に設けられる透明なタッチパネル２８と、そのタッチパネル２８を制御するためのタッチパネル制御部２９とを備える点が、上述の実施例１で説明した図３の構成と異なりその他の構成は同じである。尚、これに伴いＣＰＵ８はタッチパネル制御部２９も制御する。
【００５１】
図１４は、本実施例に係る、表示器３に表示された表示画面の一例と、その表示画面上において、２つのタッチパネル１１，２８が設けられている部分と設けられていない部分との境界に取り付けられた境界枠を示す図である。
【００５２】
同図において、本実施例に係る表示画面は、動作を設定するためのＬ字型のメニュー表示エリア３０と、探触子２から得られた検査波形が表示される波形表示エリア３１と、検査波形に対しゲートを設定して得られた検査結果などを数値で表示するための４つの検査結果表示エリア３２（３２ａ，３２ｂ，３２ｃ，３２ｄ）からなる。メニュー表示エリア３０には、Ａ〜Ｍで示す１３個の動作に対応するメニュー項目が表示され、操作者が所望のメニュー項目を選択することによって、そのメニュー項目に対応する動作を実行させることが可能になっている。
【００５３】
また、本実施例では、メニュー表示エリア３０がＬ字型に配置されることに伴って、タッチパネルもＬ字型に設けられる。但し、Ｌ字型のタッチパネルの製造はコストが掛かることから、２つの四角形のタッチパネル１１，２８を組み合わせることによってＬ字型のタッチパネルを構成するようにしている。すなわち、Ａ〜Ｊで示す１０個のメニュー項目上にタッチパネル１１を設け、Ｋ〜Ｍで示す３個のメニュー項目上にタッチパネル２８を設けるように配置することで、メニュー表示エリア３０上にＬ字型のタッチパネルを構成するようにしている。
【００５４】
ここで、タッチパネル１１は、表示器３の上端からオフセット量Δｄ１だけオフセットされて設けられているので、タッチパネル１１に触れた位置（座標）がタッチパネル制御部１２で検出されると、同図縦方向の座標をオフセット量Δｄ１だけ補正することで表示器３上の座標に変換するようにしている。尚、この座標変換は、タッチパネル制御部１２或いはＣＰＵ８のいずれで行っても良い。また、タッチパネル２８は、表示器３の左端からオフセット量Δｄ２だけオフセットされて設けられているので、タッチパネル２８に触れた位置（座標）がタッチパネル制御部２９で検出されると、同図横方向の座標をオフセット量Δｄ２だけ補正することで表示器３上の座標に変換するようにしている。尚、この座標変換は、タッチパネル制御部１２或いはＣＰＵ８のいずれで行っても良い。
【００５５】
このようにしてタッチパネル１１又は２８で検出した座標を表示器３上の座標に変換し、それをＣＰＵが取得すると、実施例１と同様に、どのメニュー項目が選択されたかを判断し、その判断結果に応じた動作を行う。
【００５６】
また、表示器３の表示画面上において、２つのタッチパネル１１，２８が設けられている部分と設けられていない部分との境界には、樹脂や金属等で作られた境界枠３３が取り付けられている。但し、同図の例では、本体装置４の正面において、表示画面の部分とそれ以外の部分との境界にも、樹脂や金属等で作られた境界枠（同図の境界枠３３以外の太線部分）が取り付けられている。
【００５７】
以上、本実施例によれば、メニュー表示エリアがＬ字型となる非破壊検査装置であっても、そのメニュー表示エリアの形状に応じてタッチパネルをＬ字型に設けることで、実施例１で説明した効果と同様の効果を得ることができる。
【００５８】
尚、本実施例において、実施例１で図６乃至９を用いて説明した前面パネルと同様に、表示器３の表示画面上において、２つのタッチパネル１１，２８が設けられている部分と設けられていない部分との境界に境界枠が設けられるような形状の前面パネルを準備し、これを本体装置４の正面に取り付けるようにしても良い。
【００５９】
また、本実施例において、実施例１で図１１及び１２を用いて説明したように、設定値が下限値又は上限値に達した場合には、その旨を操作者に通知するための表示を行うようにしても良い。
【００６０】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００６１】
【図１】実施例１に係る非破壊検査装置の一種である超音波探傷器の外観図である。
【図２】実施例１に係る本体装置の正面図である。
【図３】実施例１に係る超音波探傷器の主要構成を示すブロック図である。
【図４】実施例１に係る超音波探傷器の構成を更に詳細に示す図である。
【図５】実施例１に係る、表示器に表示された表示画面の一例と、その表示画面上において、タッチパネルが設けられている部分と設けられていない部分との境界に取り付けられた境界枠を示す図である。
【図６】実施例１に係る本体装置の前面パネルの一例を示す図である。
【図７】実施例１に係る本体装置の前面パネルの一例を示す図である。
【図８】実施例１に係る本体装置の前面パネルの一例を示す図である。
【図９】実施例１に係る本体装置の前面パネルの一例を示す図である。
【図１０】実施例１に係る、メニュー表示エリアに表示された５つのメニュー項目の一例を示す図である。
【図１１】(a),(b),(c) は、Ｇａｉｎ値を下限値（０ｄＢ）に設定したときに表示される、Ｇａｉｎ値に係るメニュー項目の一例を示す図である。
【図１２】(a),(b),(c) は、Ｇａｉｎ値を上限値（１００ｄＢ）に設定したときに表示される、Ｇａｉｎ値に係るメニュー項目の一例を示す図である。
【図１３】実施例２に係る非破壊検査装置の一種である超音波探傷器の主要構成を示すブロック図である。
【図１４】実施例２に係る、表示器に表示された表示画面の一例と、その表示画面上において、２つのタッチパネルが設けられている部分と設けられていない部分との境界に取り付けられた境界枠を示す図である。
【符号の説明】
【００６２】
１      被検体
２      探触子
３      表示器
４      本体装置
５      ダイレクトキー
６      電源キー
７      メモリ
８      ＣＰＵ
９      入力キー
１０    表示制御部
１１    タッチパネル
１２    タッチパネル制御部
１３    信号処理制御部
１４    バス
１５    入力デバイス
１６    ＬＥＤ
１７、１８  ＲＡＭ
１９    メニュー表示エリア
２０    検査波形表示エリア
２１    検査結果表示エリア
２２    境界枠
２３    メニュー表示エリアに対応する部分
２４    メニュー表示エリア以外の表示エリアに対応する部分
２５    前面パネル
２６    点線
２７    前面パネル
２８    タッチパネル
２９    タッチパネル制御部
３０    メニュー表示エリア
３１    波形表示エリア
３２    検査結果表示エリア
３３    境界枠
【図１】
2006153811.tif 000003
【図２】
2006153811.tif 000004
【図３】
2006153811.tif 000005
【図４】
2006153811.tif 000006
【図５】
2006153811.tif 000007
【図６】
2006153811.tif 000008
【図７】
2006153811.tif 000009
【図８】
2006153811.tif 000010
【図９】
2006153811.tif 000011
【図１０】
2006153811.tif 000012
【図１１】
2006153811.tif 000013
【図１２】
2006153811.tif 000014
【図１３】
2006153811.tif 000015
【図１４】
2006153811.tif 000016